(57)【要約】【課題】２００Ｖ電源で動作する機器を、１００Ｖ電源でデモ動作をさせることができるとともに、デモ設定された機器が誤って設置された場合に故障と間違うことがない誘導加熱調理器を提供することを目的とするものである。【解決手段】デモ設定手段１１と、機器の電源電圧を検知する電源電圧検知手段９とを設け、電源電圧検知手段９は、通常機器が動作しない低い電源でかつ所定電圧以上と検知されている場合においても、デモ設定手段１１にてデモ動作を設定された場合には、デモ動作を行うようにしたものである。これにより、２００Ｖ電源で動作する機器も、１００Ｖ電源でデモ動作をさせることができるとともに、デモ設定が意図的に行なわれるために機器が誤って設置された場合にも故障と間違うことなく使用することができる。【選択図】  図１
2004327109.tif 000002
【特許請求の範囲】
【請求項１】
誘導加熱手段と、前記誘導加熱手段による加熱を制御する制御手段と、加熱の入り切りや火力を操作する操作手段と、通常の動作とは異なるデモモードを設定するデモ設定手段と、機器の電源電圧を検知する電源電圧検知手段とを設け、前記電源電圧検知手段は、通常機器が動作しない低い電源でかつ所定電圧以上と検知されている場合においても、前記デモ設定手段にてデモ動作を設定された場合には、デモ動作を行うようにした誘導加熱調理器。
【請求項２】
機器の動作状態を表示する表示手段と、操作手段による操作の受け付けや異常などを報知する報知手段を設け、デモ設定手段にてデモ設定されている場合には制御手段により加熱動作を禁止するとともに前記表示手段および前記報知手段は、通常の動作時と同じ動作を行う請求項１に記載の誘導加熱調理器。
【請求項３】
記憶手段を設け、デモ設定手段にてデモ状態が設定されている場合に前記記憶手段にデモ設定を記憶しておく請求項１または２に記載の誘導加熱調理器。
【請求項４】
デモ設定手段にてデモ設定された場合に表示手段は、電源電圧検知手段にて通常機器が動作しない低い電源でかつ所定電圧以上と検知されている場合において、所定時間異常表示を行った後デモモードに移行する請求項２または３に記載の誘導加熱調理器。
【請求項５】
電源電圧検知手段にて電源電圧が通常の電圧であると検知した場合には、記憶手段にて記憶されているデモ設定を解除する請求項３に記載の誘導加熱調理器。
【請求項６】
自動調理機能またはタイマー調理機能を有し、デモ設定手段にてデモモードが設定されている状態では、自動調理またはタイマー調理動作のデモにおいて時間カウントを通常のカウントよりも速いカウントで行う請求項１〜５のいずれか１項に記載の誘導加熱調理器。
【請求項７】
特殊デモ設定手段を備え、デモ設定手段にてデモモードに設定されている状態で、前記特殊デモ設定手段にて特殊デモ設定が設定された場合に、異常時の状態を表示するようにした請求項２〜６のいずれか１項に記載の誘導加熱調理器。
【発明の詳細な説明】
【０００１】
【発明の属する技術分野】
本発明は、機器の店頭デモが行える誘導加熱調理器に関するものである。
【０００２】
【従来の技術】
従来、誘導加熱調理器は誘導加熱部の高火力化および機器の総電力を確保するために２００Ｖ電源を用いた機器となっている。しかし、店頭等において２００Ｖコンセントが常設されているところは稀であり、１００Ｖのコンセントが一般的である。そのため、機器の電源の入力構成を、片線を共通とした第１と第２の電源（それぞれを１００Ｖ）からなる三線式商用電源とし、所定の二線間の電圧を検知し、その電圧が所定電圧以下であれば、特定の加熱コンロの通電を禁止し、１００Ｖ電源での使用を可能とするものが知られている（例えば、特許文献１参照）。
【０００３】
【特許文献１】
特公平６−１２７００号公報
【０００４】
【発明が解決しようとする課題】
しかしながら、前記従来の誘導加熱調理器では、店頭での１００Ｖ電源にて特定の一口を用いたデモンストレーション（以下デモ）を行うことはできるが、実際機器が家庭に設置される際に、特定の加熱コンロが使用できない場合、設置工事の間違いにより１００Ｖ配線で設置されているのか、それとも機器が故障しているのかが区別できないという課題があった。
【０００５】
本発明は、前記従来の課題を解決するもので、通常２００Ｖ電源で動作する機器においても、店頭の１００Ｖ電源でデモ動作をさせることができるとともに、デモ設定された機器が誤って設置された場合にも故障と間違うことなく使用することができる誘導加熱調理器を提供することを目的とするものである。
【０００６】
【課題を解決するための手段】
前記目的を達成するために、本発明の誘導加熱調理器は、デモ設定手段と、機器の電源電圧を検知する電源電圧検知手段とを設け、電源電圧検知手段は、通常機器が動作しない低い電源でかつ所定電圧以上と検知されている場合においても、デモ設定手段にてデモ動作を設定された場合には、デモ動作を行うようにしたものである。
【０００７】
これにより、通常２００Ｖ電源で動作する機器においても、店頭の１００Ｖ電源でデモ動作をさせることができるとともに、デモ設定が意図的に行なわれるために機器が誤って設置された場合にも故障と間違うことなく使用することができるものである。
【０００８】
【発明の実施の形態】
請求項１に記載の発明は、誘導加熱手段と、前記誘導加熱手段による加熱を制御する制御手段と、加熱の入り切りや火力を操作する操作手段と、通常の動作とは異なるデモモードを設定するデモ設定手段と、機器の電源電圧を検知する電源電圧検知手段とを設け、前記電源電圧検知手段は、通常機器が動作しない低い電源でかつ所定電圧以上と検知されている場合においても、前記デモ設定手段にてデモ動作を設定された場合には、デモ動作を行うようにした誘導加熱調理器とすることにより、通常２００Ｖ電源で動作する機器においても、店頭の１００Ｖ電源でデモ動作をさせることができるとともに、デモ設定が意図的に行なわれるために機器が誤って設置された場合にも故障と間違うことなく使用することができるものである。
【０００９】
請求項２に記載の発明は、機器の動作状態を表示する表示手段と、操作手段による操作の受け付けや異常などを報知する報知手段を設け、デモ設定手段にてデモ設定されている場合には制御手段により加熱動作を禁止するとともに前記表示手段および前記報知手段は、通常の動作時と同じ動作を行う請求項１に記載の誘導加熱調理器とすることにより、デモ動作において通常の操作性や報知パターンを体験することができる。
【００１０】
請求項３に記載の発明は、記憶手段を設け、デモ設定手段にてデモ状態が設定されている場合に前記記憶手段にデモ設定を記憶しておく請求項１または２に記載の誘導加熱調理器とすることにより、一度デモ設定をしておけば機器の電源を切った場合やブレーカを入れ直した場合に再設定する手間を省くことができる。
【００１１】
請求項４に記載の発明は、デモ設定手段にてデモ設定された場合に表示手段は、電源電圧検知手段にて通常機器が動作しない低い電源でかつ所定電圧以上と検知されている場合において、所定時間異常表示を行った後デモモードに移行する請求項２または３に記載の誘導加熱調理器とすることにより、電源電圧が低電圧状態であることを知らしめることができるので、展示品等のデモ設定されたものが誤って設置された場合でも、電源電圧が１００Ｖ配線されていた時に機器の故障でないことが分かる。
【００１２】
請求項５に記載の発明は、電源電圧検知手段にて電源電圧が通常の電圧であると検知した場合には、記憶手段にて記憶されているデモ設定を解除する請求項３に記載の誘導加熱調理器とすることにより、展示品等のデモ設定されたものが誤って設置された場合でも、デモ設定を解除し正常の状態に戻すことができる。
【００１３】
請求項６に記載の発明は、自動調理機能またはタイマー調理機能を有し、デモ設定手段にてデモモードが設定されている状態では、自動調理またはタイマー調理動作のデモにおいて時間カウントを通常のカウントよりも速いカウントで行う請求項１〜５のいずれか１項に記載の誘導加熱調理器とすることにより、自動調理やタイマー調理等の時間のかかる動作についてその表示変化を時間短縮して見ることができる。
【００１４】
請求項７に記載の発明は、特殊デモ設定手段を備え、デモ設定手段にてデモモードに設定されている状態で、前記特殊デモ設定手段にて特殊デモ設定が設定された場合に、異常時の状態を表示するようにした請求項２〜６のいずれか１項に記載の誘導加熱調理器とすることにより、エラーコード等、異常表示がどのように出るかを見ることができ、修理等を行うサービスマンが機器の異常時の状態を理解することができる。
【００１５】
【実施例】
以下、本発明の実施例について、図面を参照して説明する。
【００１６】
（実施例１）
図１は本発明の実施例１における多口の誘導加熱調理器を示すものである。
【００１７】
図において、１は商用電源、２は機器の電源の入り切りを行う電源スイッチ、３ａおよび３ｂはそれぞれ誘導加熱手段であり、それぞれダイオードブリッジ４ａ，４ｂ、加熱コイル５ａ，５ｂ、共振コンデンサ６ａ，６ｂ、スイッチング素子７ａ，７ｂで構成されている。８ａ，８ｂはそれぞれ誘導加熱手段３ａ，３ｂによる加熱を制御する制御手段、９は機器の電源電圧を検知する電源電圧検知手段、１０は加熱の入り切りや火力の調整操作を行う操作手段、１１は通常の動作とは異なるデモモードを設定するデモ設定手段、１２は操作手段１０による操作の受け付けや異常などを報知する報知手段、１３は機器の動作状態、すなわち、誘導加熱手段３ａあるいは３ｂの加熱状態を表示する表示手段である。
【００１８】
以上のように構成された誘導加熱調理器において、電源電圧検知手段９は、通常機器が動作しない低い電源でかつ所定電圧以上と検知されている場合、すなわち、通常の商用電源が２００Ｖでなく例えば１００Ｖ電源に接続されていると検知した場合には、表示手段１３に電源電圧が異常であることを表示し、操作手段１０による加熱操作ができないようにしている。そのような場合において、デモ設定手段１１によりデモモードが設定された場合には、表示手段１３による電源電圧異常表示を停止し、通常の電源電圧（２００Ｖ）が供給されている状態と同じ表示を行う。
【００１９】
更に操作手段１０にて加熱操作を行った場合に、操作手段１０は制御手段８ａあるいは８ｂには加熱禁止信号を送るとともに、報知手段１２および表示手段１３には通常と同じ信号が送られ、実際に加熱はしていないがあたかも加熱しているかのように機器をデモ動作させることができる。これにより店頭などで一般的な１００Ｖ電源しかないような場所においても、商品の操作性や動作したときの状態を体験することができる。また、デモ設定を意図的に行っているので、デモと知らずに機器が加熱できず故障と勘違いすることがない。
【００２０】
なお、デモ設定手段１１は一般家庭では機器として必要のないものであるために、例えば、操作手段１０における複数の操作スイッチのうち、所定の３つを同時に押した場合にデモ設定できるようにしておけば、無意味なスイッチを増やすことなく実現することができる。また、誘導加熱調理器は二口に限らず、それ以上の口数をもったものあるいは単口のものであっても応用できるものである。
【００２１】
（実施例２）
次に、図２は本発明の実施例２における多口の誘導加熱調理器を示すものである。
【００２２】
本実施例において、実施例１との相違は、デモ設定手段１１にてデモ状態が設定されている場合にデモ設定を記憶しておく記憶手段１４が追加されたことである。その他は同じであるので説明は省略する。
【００２３】
前記記憶手段１４は不揮発性メモリーである。デモ設定手段１１は、デモモードに入るときおよびデモモードを解除するときにその状態を記憶手段１４に書き込む。これにより、店頭等でのデモ中に一度デモモードを設定すれば、電源スイッチ２が切られた場合や電源のブレーカを落とした場合でも、デモ設定手段１１にて再度デモ設定することなくデモモードに移行することができる。
【００２４】
更に、機器への電源を投入直後や電源スイッチ２を入れたときに、電源電圧検知手段９にて電源電圧が１００Ｖであると検知すれば、表示手段１３に異常表示を所定時間（例えば１分間）行い、その後記憶手段１４にデモ設定が記憶されていれば、異常表示を止めてデモモードに移行し、デモ設定が記憶されていなければ異常表示を継続して表示する。これにより、展示品等のデモ設定されたものが誤って設置された場合でも、電源電圧が１００Ｖ配線されていた時に機器の故障でないことが分かる。
【００２５】
また、電源電圧検知手段９にて電源電圧が２００Ｖであると検知した場合に、記憶手段１４のデモ設定をクリアしデモ設定を解除するようにする。これにより展示品等のデモ設定されたものが誤って設置された場合でも、デモ設定を解除し正常の状態に戻すことができる。
【００２６】
（実施例３）
次に、図３は本発明の実施例３における多口の誘導加熱調理器の操作部を示すものである。
【００２７】
本実施例における操作部は、実施例１、２における操作手段１０および表示手段１３を備えたものである。そして、図に示すように、タイマー設定を行うタイマー設定スイッチ１５や揚げ物等の温度調整を設定する自動調理スイッチ１６があり、自動調理機能またはタイマー調理機能を有する。ここで、自動調理またはタイマー調理動作のデモにおいて時間カウントを通常のカウントよりも速いカウントで行うようにしている。すなわち、デモモードにおいてタイマー設定スイッチ１５にてタイマー設定が１５分と設定された場合に、６０倍すなわち１分＝１秒で動作させる。これにより、１５分設定は１５秒で完了することになり、タイマー終了時の報知音や表示を早く見せることができる。
【００２８】
また自動調理の場合は、時間のみでなく実際には温度検知手段（図示せず）による温度変化等も進行に関わるので、実際に加熱しない場合でも工程の変化（予熱前、予熱後）を順に表示させることで説明を短時間で行うことができるようになっている。
【００２９】
また、図示していないが、デモ動作中にデモ設定手段とは異なる特殊デモ設定が行える特殊デモ設定手段を備えており、特殊デモ設定がされた場合には、機器が表示し得るエラーコード等、異常表示を順番に表示したり、複合して発生した場合の表示形態を示したりして、異常時の状態を表示するようにしている。これにより、修理等を行うサービスマンなどが事前に理解することができる。
【００３０】
【発明の効果】
以上のように、本発明の誘導加熱調理器によれば、デモ設定手段と、機器の電源電圧を検知する電源電圧検知手段とを設けたことにより、通常２００Ｖ電源で動作する機器においても、店頭の１００Ｖ電源でデモ動作をさせることができるとともに、デモ設定が意図的に行なわれるために機器が誤って設置された場合にも故障と間違うことなく使用することができるものである。
【図面の簡単な説明】
【図１】本発明の実施例１における誘導加熱調理器を示すブロック図
【図２】本発明の実施例２における誘導加熱調理器を示すブロック図
【図３】本発明の実施例３における誘導加熱調理器の操作部を示す平面図
【符号の説明】
３ａ，３ｂ  誘導加熱手段
８ａ，８ｂ  制御手段
９  電源電圧検知手段
１０  操作手段
１１  デモ設定手段
１２  報知手段
１３  表示手段
１４  記憶手段
【図１】
2004327109.tif 000003
【図２】
2004327109.tif 000004
【図３】
2004327109.tif 000005